(57)【特許請求の範囲】
【請求項１】
流電陽極方式カソード防食法において、流電陽極と被防食体との間の環境抵抗が大きくて防食電流が不足する場合、補助流電陽極とそれより貴電位の補助陰極とを組み合わせて、該被防食体の近傍の水中または土壌中に設置し、該補助流電陽極と該補助陰極間に発生する電圧をスイッチング方式のＤＣ・ＤＣコンバータで昇圧または減圧して任意の値の出力電圧を得て、この直流電圧を前記の流電陽極と被防食体間に加え、該流電陽極の有効電位差を増大し、防食電流を増加させて被防食体を完全防食することを特徴とする流電陽極方式の電気防食法。
【請求項２】
前記補助流電陽極が亜鉛、アルミニウム、マグネシウムあるいはこれらを基体金属とするそれぞれの合金、前記補助陰極が銅、銅合金、ステンレス鋼、チタン、チタン合金あるいは導電性塗膜や炭素質物質から選択される請求項１に記載の流電陽極方式の電気防食法。
【請求項３】
前記補助陰極の表面をイオン選択性物質で被覆する請求項１または２に記載の流電陽極方式の電気防食法。
【請求項４】
前記補助陰極が不溶性中心電極の周囲に粒状炭素質物質を詰めた充填体電極であり、該充填体電極を前記環境中に全没するかまたは一部を大気中に露出させる請求項１または２に記載の流電陽極方式の電気防食法。
【請求項５】
前記被防食体が鉄筋コンクリート中の鉄筋である請求項１〜４のいずれかに記載の流電陽極方式の電気防食法。
【請求項６】
請求項１〜５のいずれかに記載の流電陽極方式の電気防食法に用いるＤＣ・ＤＣコンバータであって、該ＤＣ・ＤＣコンバータが、電圧変換部と電源構成部からなり、該両部のスイッチングトランジスタの駆動部を作動させる二次電池を有し、該電源構成部で入力直流電圧を交流に変換後、昇圧、整流して該二次電池を充電することにより、該電圧変換部を安定に連続作動させ、該二次電池電圧より低い入力直流電圧を該電圧変換部で交流に変換後、昇圧または減圧された任意の値であって、かつ入力回路から絶縁された電圧を直流電圧として連続的に出力することを特徴とする電圧変換用スイッチング方式ＤＣ・ＤＣコンバータ。
【発明の詳細な説明】
【０００１】
【産業上の利用分野】
本発明は、流電陽極方式のカソード防食において、環境抵抗が高くて流電陽極の駆動力である有効電位差が不足する場合、既存の流電陽極において該有効電位差を大きくして被防食体の完全防食を可能ならしめる流電陽極方式の電気防食法およびそのための装置に関するものである。
【０００２】
【従来の技術】
電気防食法は、海水中、河川水中や地中等に設置された金属構造物や埋設管、あるいはコンクリート構造物中の鉄筋、さらに工業用水や有機、無機の液体に接する化学装置等の腐食を防止する方法として利用され、港湾、橋梁等のインフラストラクチャや各分野の産業での防食に多大の効果を上げている。
【０００３】
電気防食法の適用形態の一つとして、マグネシウム、アルミニウムまたは亜鉛あるいはこれらのそれぞれの合金等の卑電位の流電陽極と、それより貴な電位を有する対象被防食体との電位差（有効電位差）を駆動力として、流電陽極から被防食体に防食電流を供給している。そして、この流電陽極方式は、施工工事と保守が容易なことと故障の起こりにくさから、現在では外部電源方式に代わって広く適用されるようになった。外部電源方式では不溶性陽極を用いるので、塩素や酸素等の強酸化性のガスが発生しケーブルが損傷されることが多い。さらに不測の停電で無防食になる等、保守の面倒さや信頼性に問題があるが、高電圧を要する埋設管の防食等に適用されている。
【０００４】
しかし、流電陽極の種類により固有の陽極電位が決まっているため、それに基づく防食能に限界がある。流電陽極の陽極電位の代表的な値は、亜鉛系、アルミニウム系およびマグネシウム系の陽極では、それぞれ−１．０Ｖ、−１．１Ｖおよび−１．５Ｖ（電位は飽和甘汞電極基準、以下同様）とされており、一方、被防食体が鉄鋼構造物の場合の防食電位は−０．８Ｖであるので、上記流電陽極についての防食電流の駆動力となる有効電位差はそれぞれ０．２Ｖ、０．３Ｖおよび０．７Ｖとなる。環境の抵抗が海水のように低いときには、これらの有効電位差で十分の防食電流が流せるのでいずれの陽極も使用可能である。しかし、汽水や淡水あるいは土壌のように環境の比抵抗が数百〜数千Ωｃｍあるいはそれ以上にも及ぶ、閘門、送水管路や埋設管等の防食では、陽極電位の最も卑なマグネシウム陽極を用いても有効電位差が不足で、十分な防食電流を確保することができないことが多い。しかも、電流分布が局所化するので、多数の陽極の配置を必要とする。
【０００５】
港湾施設には、岸壁や桟橋等の鉄筋コンクリート構造物が多くあるが、常に海水の飛沫を浴びコンクリート内の塩化物濃度の上昇による鉄筋の腐食、いわゆる塩害が生じる。融雪塩の多用による橋梁床板や海砂使用の建造物等にも塩害が生じるが、この際の鉄筋腐食の防止にカソード防食法が有効であることはよく知られ、塩害の発生したコンクリート構造物の補修後、再度の腐食発生を防止するため、あるいは新設時や供用早期から塩害の予防のためカソード防食法が適用されるようになってきている。通常のポルトランドセメントであれば、コンクリートの電気抵抗があまり高くないので、亜鉛、鉄筋間の有効電位差（約０．６Ｖ）で１０〜２０ｍＡ／ｍ2の必要防食電流を流すことができ、十分防食目的を達成できる。しかし、最近は防食性のよい有機質のポリマーセメント等が使用されるようになったが、このものの比抵抗は著しく大きいので、環境抵抗が高くなり、前述の亜鉛、鉄筋間の有効電位差では十分な防食電流の供給が困難となる。従って、亜鉛陽極を陽極電位のさらに卑なアルミニウム系陽極やマグネシウム系陽極に変更して有効電位差の増大を図る必要があるが、これらの陽極は薄板状にすることが困難であるため適用できない。
これらの事態を解決するため、有効電位差の大きい流電陽極の開発が望まれるが、現在まで良い成果が得られていない。
【０００６】
高い環境抵抗に対応する有効電位差が不足で、既存の流電陽極では満足な結果が得られないときは、外部からの電圧を利用して有効電位差を大きくする方法がある。すなわち、通常の流電陽極法では直結される陽極と被防食体との接続を切り、この間に整流電源または電池を接続して必要な電圧を加えると、被防食体から見てこの電圧分だけ流電陽極の電位が見掛け上卑になり、有効電位差が増大する。
【０００７】
しかし、この電圧源が一次電池では長期間の寿命は望めず、また非常に高価となる。二次電池は充電や面倒な保守が必要である。また商用交流による整流電源には不測の停電があり、無防食の監視が必要となる。従って、メンテナンスフリーの無停電電源の出現が望まれている。
【０００８】
海水、汽水、淡水や土壌中等の中性環境での電気防食系は、陽極である活性な卑電位金属の溶解反応（アノード反応）と陰極となる被防食体での溶存酸素の還元反応（カソード反応）とが組み合わされた内部電池であるが、両極間の外部結線を外せば外部電池として電圧を取り出すことができる。
【０００９】
陰極が不動態金属等の貴電位の金属や炭素質物質のとき、その電池の起電力は０．５〜１Ｖと大きくはないが、自然環境を電解液とし消耗するのは陽極金属のみで、保守が不用の極めて安価な長寿命電池である。数Ｖの出力電圧が得られれば、保守が容易な無停電電源として流電陽極の有効電位差の増圧に利用でき、また、外部電源方式の電気防食の無停電電源としても利用し得る。
【００１０】
【発明が解決しようとする課題】
本発明はかかる課題を解決すべくなされたものであり、高い環境抵抗のため現用の流電陽極では有効電位差が不足し必要な防食電流が流せないとき、防食対象の近傍において、流電陽極と水中または土壌中の溶存酸素を利用する停電の恐れのない安価な電池から不足する電圧を供給する流電陽極方式の電気防食法およびそのための装置を提供することを目的とする。
【００１１】
【課題を解決するための手段】
本発明は、高い環境抵抗のため現用の最卑電位の流電陽極を用いても十分な防食電流が得られない流電陽極方式のカソード防食において、防食対象の近傍で海水、汽水、淡水等の中性自然環境中で流電陽極と補助陰極とを組み合わせ、発生する低い電圧を効率よく昇圧または減圧して得られる必要な任意の値の電圧を用い、流電陽極の有効電位差を増大させ、防食電流を増加させて現用の流電陽極による高抵抗環境での完全防食を達成させるものである。
【００１２】
上述のように、海水、汽水、淡水等の環境中において、例えば銅、銅合金、ステンレス鋼、チタンまたはチタン合金等の不導態金属あるいは導電性塗膜や炭素質物質等はいずれも−０．５Ｖ程度の分極電位を示し、０．１Ａ／ｍ2程度のカソード電流を流すことができる。これらと亜鉛系、アルミニウム系またはマグネシウム系流電陽極と組み合わせると、出力電圧がそれぞれ０．５Ｖ、０．６Ｖまたは１．０Ｖのり長寿命、無停電で、しかも消耗するものは流電陽極のみであるので、極めて安価なメンテナンスフリーの電源となる。また、陽極と陰極を多層に組み合わせて小型でアンペアオーダー以上の電流を発生することができる。以下、この電源を流電陽極電池という。
【００１３】
この流電陽極電池の電圧を他の施設のカソード防食に利用するとき、その施設が同じ環境中にある時は相互に漏洩、短絡するし、陸上の施設でも大地を通じての干渉、短絡が起きる危険があるので、出力電圧は発生源の陽極、陰極と絶縁されている必要があり、このままではこの電圧は利用できない。
【００１４】
ＤＣ・ＤＣコンバータは、直流入力電圧を高周波スイッチング回路で交流に変換後、昇圧または減圧してから整流、平滑して、任意の大きさのしかも入力回路（入力電圧）から絶縁した定電圧の直流出力電圧を取り出し得る電力変換器で、８０％程度の変換効率が得られる。従って、このＤＣ・ＤＣコンバータと流電陽極利用の電池を組み合わせれば、電源電池から絶縁した電圧で流電陽極の有効電位差の増圧や外部電源方式のカソード防食のための無停電電源としても利用することが可能となる。
【００１５】
しかし、現在のＤＣ・ＤＣコンバータの変換可能な最低入力電圧は１Ｖ前後であり、０．５Ｖの低電圧を変換できるものは見当たらない。これは通常、ＤＣ・ＤＣコンバータが入力を電源として全回路が作動するように設計されているので、入力が１Ｖ前後以下の低電圧では作動しないからである。
【００１６】
本発明者は、入力のスイッチ回路とそれの駆動回路（駆動部）を分離し、駆動部は十分な作動電圧のバックアップ二次電池によって正常に作動させ、流電陽極電池の低電圧を低入力抵抗のスイッチ回路で確実、かつ効率よく転換、変圧させ、該二次電池は別個の小容量ＤＣ・ＤＣコンバータ（これの駆動部も該二次電池で作動する）で低電圧入力を昇圧して充電することにより、０．５Ｖあるいはそれ以下の電圧の変換を可能にする改良ＤＣ・ＤＣコンバータを設計、開発した。
【００１７】
本発明者は、この改良ＤＣ・ＤＣコンバータ装置を作り、これにより１Ｖ以下の低電圧を発生する流電陽極電池の電圧を昇圧し、この電圧を利用して他施設の流電陽極の有効電位差の増圧を達成し、高環境抵抗に拘わらず、高抵抗コンクリート構造物の鉄筋を完全防食ができることを確認した。
【００１８】
すなわち、本発明は、流電陽極方式カソード防食法において、流電陽極と被防食体との間の環境抵抗が大きくて防食電流が不足する場合、補助流電陽極とそれより貴電位の補助陰極とを組み合わせて、該被防食体の近傍の水中または土壌中に設置し、該補助流電陽極と該補助陰極間に発生する電圧をスイッチング方式のＤＣ・ＤＣコンバータで昇圧または減圧して任意の値の出力電圧を得て、この直流電圧を前記の流電陽極と被防食体間に加え、該流電陽極の有効電位差を増大し、防食電流を増加させて被防食体を完全防食することを特徴とする流電陽極方式の電気防食法にある。
【００１９】
また、本発明は、前記ＤＣ・ＤＣコンバータが、電圧変換部と電源構成部からなり、該両部のスイッチングトランジスタの駆動部を作動させる二次電池を有し、該電源構成部で入力直流電圧を交流に変換後、昇圧、整流して該二次電池を充電することにより、該電圧変換部を安定に連続作動させ、該二次電池電圧より低い入力直流電圧を該電圧変換部で交流に変換後、昇圧または減圧された任意の値であって、かつ入力回路から絶縁された電圧を直流電圧として連続的に出力することを特徴とする電圧変換用スイッチング方式ＤＣ・ＤＣコンバータにある。
【００２０】
次に、図面に基づき本発明を具体的に説明する。
図１は、本発明に係る流電陽極電池の電圧の変換による流電陽極有効電位差の増圧法を利用した、カソード防食法の原理を示す回路図である。
【００２１】
流電陽極電池１は、負極である補助流電陽極２と正極である補助陰極３から構成され、環境４中に設置される。補助流電陽極２は、亜鉛、アルミニウムまたはマグネシウムあるいはこれらを基体金属とするぞれぞれの合金から選択された卑電位金属、補助陰極３は、銅、銅合金、ステンレス鋼、チタン、またはチタン合金あるいは導電性塗膜や炭素質物質から選択される貴電位で溶存酸素還元能を有する電子伝導体である。環境４は、海水、汽水または淡水あるいは土壌等の電解質性媒質であって、導電性と溶存酸素濃度の大きい海水が最も好ましいが、汽水、淡水、土壌も発生電流、起電力で海水に及ばないものの、流電陽極電池１の設置環境になり得る。海水中でのこの流電陽極電池１の出力電圧は正極、負極の種類で異なるが、通常０．５〜１Ｖ程度である。
【００２２】
５は流電陽極電池１で発生した電圧を適切な値の出力電圧になるように昇圧または減圧して一定の値に自動調節すると共に、出力電圧を入力から絶縁する機能を有するＤＣ・ＤＣコンバータ（以下、ここではコンバータと略す）で、電圧変換部１１〜１７と電源構成部２１〜２７から構成される。コンバータには種々の方式があるが、フライバックトランス方式が回路構成も簡単であるので、小型の防食用電源としては好ましく、電圧変換部にはこの方式を、電源構成部にはインダクタンスコイルを用いるフォワード方式を用いている。
【００２３】
流電陽極電池１の発生電圧は入力導線３１、３２でコンバータ５に入力され、入力電圧は電圧変換部のフライバックトランス１１とスイッチングトランジスタ１２の直列回路に加えられる。スイッチングトランジスタ１２は、パルス幅制御方式の高周波発振器で構成される駆動部１３の交流により駆動されてオン、オフを繰り返し、フライバックトランス１１の二次側に交流電圧を発生し、これが整流部１４・平滑部１５により直流化されて、入力電圧に比して通常は昇圧、時には減圧された出力電圧となる。この出力電圧は抵抗１６で分割され、その一部の電圧はカプラー１７を経て駆動部１３にフィードバックされ、発振回路のパルス幅変調による周波数変化で出力電圧が一定になるように制御する。カプラーは、出力電圧を入力回路から絶縁しながらフィードバック電圧を駆動部に伝送するために設けたものである。
【００２４】
また、駆動部１３の電源は１．５Ｖ〜数Ｖ以上必要で、これは電源構成部のバックアップ二次電池２７から供給される。一方、該二次電池２７は、流電陽極電池１からの低電圧入力を小容量のフォワード方式のコンバータで昇圧した電圧で充電される。すなわち、インダクタンスコイル２１と直列のスイッチングトランジスタ２２は、駆動部２３からの高周波交流でスイッチされ、出力交流はダイオード２４とコンデンサ２５で平滑な直流となり、フィードバック抵抗２６の設定で二次電池２７の充電に必要な電圧に制御される。
【００２５】
コンバータ５は電力変換器であり、入力電圧を昇圧すると、その昇圧割合に反比例して出力電流が減少するので、昇圧した出力電圧を必要とするときは、電圧発生系は十分な電力を供給できる電流容量を有することが必要となる。
【００２６】
このように、コンバータの改良により効率よく低入力電圧を数Ｖ以上までも昇圧することができるので、この電圧で外部電源方式のカソード防食も可能であり、停電の恐れのないメンテナンスフリーの電源ともなし得る。
【００２７】
流電陽極電池１で電流発生を続けていると、よく知られていることであるが、正極３の表面に石灰質スケールが生成固着するので、正極３の発生電流が低下し必要な電流が確保できなくなる。特に海水中ではこのスケール生成が著しく、汽水や淡水中でもＣａ2+およびＭｇ2+の濃度に準じ、同様の発生電流の逓減を生じる。そこで、正極３表面でのスケールの析出を防止し、正極の発生電流の低下防止と寿命の延伸を図るため、本発明者は、ある種の吸水性高分子と接触する海水が、Ｃｌ-、ＳＯ 2-4等のアニオンの濃度には何等の変化もなかったが、Ｃａ2+およびＭｇ2+ならびにＮａ+等のカチオンの濃度は１０〜２５％も減少するという実験結果を得た。そこで、この吸水性高分子のイオン選択性を利用して、アルカリ土類金属イオンの濃度を下げてスケールの析出を減少させるべく、本発明においては、この種のイオン選択性物質で正極３表面を被覆することも特徴としている。
【００２８】
正極３の電位や発生電流量は環境４の溶存酸素量や正極３での電流密度により異なる。海水中での陰極の通常の使用電流密度は０．１Ａ／ｍ2程度で流電陽極２の約１／１０なので正極３の表面積で発生電流量が決まる。そこで、本発明では小型で表面積の大きい正極として粒状活性炭を用いて表面積を拡大した炭素質充填体電極により、電圧発生系の電流容量と起電力の増大を図ることも特徴としている。
なお、上記充填体電極は、環境４中に全没するか、または一部を大気中に露出させても良い。
【００２９】
【作用】
環境抵抗の高い汽水、淡水または土壌或はコンクリート中の金属構造物のカソード防食において、防食対象の金属構造物の近傍の水中または土壌中に補助流電陽極とそれより貴電位の補助陰極を組み合わせた電池を設置し、該両補助電極間に発生する電圧を低入力用に改良したＤＣ・ＤＣコンバータにより変圧・絶縁して金属構造物と流電陽極との間に加え、その電圧分だけ流電陽極の電位を見掛け上卑にして現用の流電陽極の不足する有効電位差を増大させ、高い環境抵抗に対抗して既存の流電陽極での完全防食を可能ならしめる。
【００３０】
【実施例】
次に、実施例に基づいて、本発明を具体的に説明する。
実施例
高抵抗コンクリートで作られているため、亜鉛合金流電陽極では有効電位差が不足で鉄筋の完全防食ができなかったコンクリート梁を試験体として、図１に示すように、アルミニウム合金陽極を負極とし、ステンレス鋼板を正極とする流電陽極電池を海水中で構成し、発生電圧をＤＣ・ＤＣコンバータで昇圧して、亜鉛合金陽極の有効電位差の増圧を図った。
【００３１】
図２に試作した流電陽極電池の構造の概要を示す。１１１はアルミニウム合金陽極（１０×１０×９０ｃｍ）で、その３個を陽極取付枠１１２に取付け、表面積１．１ｍ2の負極（陽極体）とした。正極１２１はステンレス鋼板（０．２×１００×１００ｃｍ、表面積２ｍ2）で、その両面に吸水性高分子『アクアリックＣＳ』を耐水紙に薄く展開したシート状のアニオン選択性膜（日本触媒化学工業社製）１２２を膜抑え枠１２３で固定した。
【００３２】
この膜は、ポリアクリル酸塩系の吸水性高分子であるが、本発明者は、前述のように、この高分子に海水中でアルカリ土類金属イオンを吸着する性質を認め、この高分子はカルシウムイオンやマグネシウムイオン等を通過させないアニオン選択性のある、しかも電気抵抗の低い隔膜となることを実験により確認したものである。
【００３３】
これらの平滑金属正極に対し、粒状活性炭で表面積を拡大した充填体電極の効果を試験するため、炭素棒（１ｃｍφ×１００ｃｍ）を中心電極とし、これを布製袋（７ｃｍφ×１００ｃｍ）に収め、その間隙に３〜７ｍｍの粒状活性炭を密に充填して袋の両端を閉じ、その３本を陽極取付枠１１２に取り付けた（図示せず）。この充填体電極の見掛けの表面積の総計は０．６ｍ2であるが、この充填体電極の実効表面積は、充填物質の粒径や充填密度で異なるが、同じ見掛け表面積の平滑電極の１５倍程度あることが、カソード分極曲線の測定から評価されている。
【００３４】
流電陽極電池試験体１の組み立てには、上記のように作成した陽極体を５組、正極体１２４を５枚、充填体電極１組を用いた。中央に充填体電極を置き、その両側に陽極体を並べ、以後正極体１２４と交互に重ね、その各々の間にはスペーサ１３０を挟んで組み立て、海水中に設置した。但し、比較のため、一端の正極体１２４の内側の面には、アニオン選択性膜１２２を取り付けなかった。なお、試験のため各電極板の個々の分担電流を計測できるようにした。
【００３５】
コンクリート梁のカソード防食試験体は、高抵抗のポリマーセメント製のＲＣコンクリート梁４１であり、鉄筋４２は相互に導通を確認しながら通常の密度で配筋した。コンクリート表面にベントナイト、石膏および硫酸ナトリウムが６：３：１の割合の混合物を水で練った半固体状のバックフィル４３を１０ｍｍ厚みに塗布し、その上に亜鉛合金陽極板４４（０．２×１００×１００ｃｍ）を１０枚載せた。各陽極は、電流の均等配分のため、分配器４５を経由して導線５１でコンバータ５の出力の正極端子に接続され、一方、コンバータ５の負極端子は導線５２で鉄筋に接続した。なお分配器４５は、各陽極への電流均等配分のための定電流性を有する素子であり、５Ωの抵抗、トランジスタのベース・エミッタ間の電圧を可変抵抗で調節する簡単な定電流装置、トランジスタのベース電圧を演算増器で調節する精密な定電流装置等を用いて、電流分配の安定性も試験した。
【００３６】
防食試験は、コンクリートでは十分な防食電流を得るためには１．７Ｖ以上の有効電位差（外部加電圧：１．１Ｖ）が必要なことが別個の試験で判明しているので、コンバータ５の出力電圧は１．３Ｖに設定した。なお完全防食の判定は、通電試験の途中で一時電流を切り、４時間後までに鉄筋の自然電位に１００ｍＶ以上の復極が認められることを基準とした。
【００３７】
通電試験の開始直後から、各陽極の通過電流は１３〜１４ｍＡの範囲にあり、また６か月の試験期間中、毎週１回復極試験を行ったが、常に１０５〜１１５ｍＶの復極値が得られ、完全防食されていることが分かった。
【００３８】
試験期間中、流電陽極電池１の発生電圧はだいたい０．６Ｖを維持し、発生電流は４００ｍＡ程度であった。また各電極の分担電流は、ステンレス鋼の正極体１２４ではほぼ５０ｍＡ／枚であったが、充填体電極では１５０ｍＡ程度の発生電流が認められ、充填体電極は実効表面積が広く、電流容量が大きいことが分かった。
【００３９】
また、３か月目と６か月目に流電陽極電池試験体１を海水から引き上げ、正極体１２４での石灰質スケールの付着状況を調べた。アニオン選択性膜を貼らなかったステンレス鋼面にはスケールの析出が認められ、試験時間の経過と共にその析出量が増加した。これに対し、アニオン選択性膜の下のステンレス鋼面ではスケールの析出は殆ど認められなかった。
【００４０】
【発明の効果】
以上説明したように、高抵抗環境中の被防食体の近傍の水中または土壌中に補助陰極と補助流電陽極による電池を設置し、発生電圧をＤＣ・ＤＣコンバータで変圧するのみで、長寿命でメンテナンスフリーの安価な無停電電源が得られ、簡単に流電陽極の有効電位差を増大することができる。従って、既存の流電陽極では有効電位差の不足で防食できない高抵抗環境中の該被防食体の完全防食が可能となる。さらに数Ｖの電圧を得て、外部電源方式の電気防食法の電源としても利用できる。
【図面の簡単な説明】
【図１】  流電陽極電池を用いる増圧方式流電陽極による電気防食法の原理回路図、
【図２】  流電陽極電池の構造例組立て図。
【符号の説明】
１：流電陽極電池、２：流電陽極（負極）、３：補助陰極（正極）、４：環境、５：ＤＣ・ＤＣコンバータ、１１：フライバックトランス、１２：スイッチングトランジスタ、１３：駆動部、１４：整流部、１５：平滑部、１６：フィードバック電圧設定部、１７：カプラー、２１：インダクタンスコイル、２２：スイッチングトランジスタ、２３：駆動部、２４：ダイオード、２５：コンデンサ、２６：フィードバック電圧設定部、２７：バックアップ二次電池、３１：正極導線、３２：負極導線、４１：コンクリート構造物、４２：鉄筋、４３：バックフィル、４４：亜鉛合金陽極、４５：分配器、５１：コンバータ出力プラス導線、５２：コンバータ出力マイナス導線、１１１：アルミニウム合金流電陽極、１１２：流電陽極取付枠、１２１：ステンレス鋼板、１２２：アニオン選択性膜、１２３：膜抑え枠、１２４：組立て済正極体、１３０：スペーサ。
【図１】
0003758714.tif 000002
【図２】
0003758714.tif 000003